(57)【要約】【課題】  無線通信制御装置において、必要な場合だけ通常動作モードにし、省電力機能を向上させる。【解決手段】  無線接続された無線通信端末に対して送信されるデータをデータの種別に応じて破棄あるいは送信を選択できるデータフィルタ設定手段と、前記無線通信端末を省電力動作に移行させる省電力動作移行手段と、前記無線通信端末に対して送信されるデータが、前記データフィルタ設定手段によって、送信選択された場合には、前記無線通信端末を省電力動作から通常動作へ移行させる通常動作移行手段とを備える。【選択図】        図１
2005223586.tif 000002
【特許請求の範囲】
【請求項１】
ネットワーク通信の中継機能を有する無線通信制御装置において、
前記無線通信制御装置は、無線接続された無線通信端末に対して送信されるデータをデータの種別に応じて破棄あるいは送信を選択できるデータフィルタ設定手段と、前記無線通信端末を省電力動作に移行させる省電力動作移行手段と、前記無線通信端末に対して送信されるデータが、前記データフィルタ設定手段によって送信選択された場合には、前記無線通信端末を省電力動作から通常動作へ移行させる通常動作移行手段とを有する、
ことを特徴とする無線通信制御装置。
【請求項２】
前記無線通信制御装置は、無線により接続された無線通信端末が有するサービスを取得するサービス取得手段と、前記サービス取得手段により取得した無線通信端末のサービス情報を前記無線通信端末固有の識別子と関連付けて特定エリアに保持する手段と、前記特定エリアの位置を表す情報を前記無線通信端末に通知するエリア情報通知手段と、前記無線通信端末から端末サービス情報を要求された時には、前記特定エリアに保持されたサービス情報を応答するサービス情報応答手段と、前記無線通信端末との通信が切断された場合には特定エリアに保持された前記無線通信端末のサービス情報を削除する手段とを有する、
ことを特徴とする請求項１記載の無線通信制御装置。
【請求項３】
前記無線通信制御装置は、前記無線通信端末からのサービス情報要求が無線通信制御装置のエリア圏内に位置し、無線通信により接続されている他の無線通信端末のサービス情報要求であるか、前記エリア圏外に位置する他の端末装置のサービス要求であるかを識別するサービス情報要求範囲指定手段を有し、前記エリアと同一の圏内に位置する無線通信端末のサービス情報要求の場合には、前記サービス情報応答手段を起動し、前記エリア圏外のサービス要求の場合には、前記サービス情報応答手段を起動しない、
ことを特徴とする請求項２記載の無線通信制御装置。
【請求項４】
前記無線通信制御装置は、前記エリア圏外に位置する他の端末装置からのサービス情報要求を受けた場合には、前記特定エリアに保持されたサービス情報を、前記他の端末装置に理解可能な形式に変換するサービス情報変換手段と、
前記サービス情報変換手段によって変換を行って作成した新たなサービス情報を応答する手段とを有する、
ことを特徴とする請求項３記載の無線通信制御装置。
【請求項５】
前記無線通信制御装置は、前記エリア圏外に位置する他の端末装置からのサービス要求を受けた場合には、前記エリア圏内の無線通信端末が通常動作中の場合は、直接前記無線通信端末へ前記サービス要求を送信し、前記エリア圏内の無線通信端末が省電力動作中の場合には、前記サービス情報変換手段を起動し新たなサービス情報を応答する手段とを有する、
ことを特徴とする請求項４記載の無線通信制御装置。
【請求項６】
ネットワーク通信の中継機能を有する無線通信制御装置の制御方法において、
無線接続された無線通信端末に対して送信されるデータをデータの種別に応じて破棄あるいは送信を選択するデータフィルタ設定工程と、前記無線通信端末を省電力動作に移行させる省電力動作移行工程と、前記無線通信端末に対して送信されるデータが、前記データフィルタ設定工程で送信選択された場合には、前記無線通信端末を省電力動作から通常動作へ移行させる通常動作移行工程とを有する、
ことを特徴とする無線通信制御装置の制御方法。
【請求項７】
無線により接続された無線通信端末が有するサービスを取得するサービス取得工程と、前記サービス取得工程で取得した無線通信端末のサービス情報を前記無線通信端末固有の識別子と関連付けて特定エリアに保持する工程と、前記特定エリアの位置を表す情報を前記無線通信端末に通知するエリア情報通知工程と、前記無線通信端末から端末サービス情報を要求された時には、前記特定エリアに保持されたサービス情報を応答するサービス情報応答工程と、前記無線通信端末との通信が切断された場合には特定エリアに保持された前記無線通信端末のサービス情報を削除する工程とを有する、
ことを特徴とする請求項６記載の無線通信制御装置の制御方法。
【請求項８】
前記無線通信端末からのサービス情報要求が無線通信制御装置のエリア圏内に位置し、無線通信により接続されている他の無線通信端末のサービス情報要求であるか、前記エリア圏外に位置する他の端末装置のサービス要求であるかを識別するサービス情報要求範囲指定工程を有し、前記エリアと同一の圏内に位置する無線通信端末のサービス情報要求の場合には、前記サービス情報応答工程に移行し、前記エリア圏外のサービス要求の場合には、前記サービス情報応答工程に移行しない、
ことを特徴とする請求項７記載の無線通信制御装置の制御方法。
【請求項９】
前記エリア圏外に位置する他の端末装置からのサービス情報要求を受けた場合には、前記特定エリアに保持されたサービス情報を、前記他の端末装置に理解可能な形式に変換するサービス情報変換工程と、
前記サービス情報変換手段によって変換を行って作成した新たなサービス情報を応答する工程とを有する、
ことを特徴とする請求項８記載の無線通信制御装置の制御方法。
【請求項１０】
前記エリア圏外に位置する他の端末装置からのサービス要求を受けた場合には、前記エリア圏内の無線通信端末が通常動作中の場合は、直接前記無線通信端末へ前記サービス要求を送信し、前記エリア圏内の無線通信端末が省電力動作中の場合には、前記サービス情報変換工程に移行し新たなサービス情報を応答する、
ことを特徴とする請求項９記載の無線通信制御装置の制御方法。
【発明の詳細な説明】
【技術分野】
【０００１】
本発明は、アクセスポイントなどの無線通信制御装置及びその制御方法に係り、アクセスポイントを介して接続している無線通信端末を検索する場合に、アクセスポイントで無線通信端末の端末固有のサービス情報を管理することにより、サービス情報検索を要求した無線通信端末へはアクセスポイントで管理するサービス情報を応答し、無線リンクを無駄に利用しない通信制御を行なうことに関するものである。
【背景技術】
【０００２】
従来、周辺端末を検索する方法として多くの技術が開発されている（例えば、特許文献１参照。）。また、例えば、一般に有線のアクセスポイント（ルーター）経由で周辺端末を検索するためにネットワーク検索を行なった場合には、パケットがブロードキャストされその応答によって周辺端末を認識する方法や、デバイスの検出と制御をＰｌｕｇ  ＆  Ｐｌａｙ（プラグアンドプレイ）方式に可能なＵＰｎＰ（Ｕｎｉｖｅｒｓａｌ  Ｐｌｕｇ  ａｎｄ  Ｐｌａｙ）が提案されている。ここでは、ネットワーク上で利用可能なデバイスとサービスを検出するために、制御管理部（コントロールポイント）が検索を行なったり、またデバイス自身がアナウンスをする方法が定義されている。そのためＵＰｎＰデバイスは常にマルチキャストポートをリッスンし、検索要求を受信すると検索の基準に一致するか否かを調べ、一致していればレスポンスを送信する、といったものが挙げられる。また、Ｐ２Ｐ（ピアツーピア）におけるピア発見では、ピアはＩＰマルチキャストを利用し、その存在を定期的に通知する。関心のあるピアはこのメッセージ検出のためにリッスンする。といった周辺端末の発見方法もある。
【特許文献１】特開２０００−１８１８４９号公報
【発明の開示】
【発明が解決しようとする課題】
【０００３】
しかしながら、上述した従来の技術では、以下に説明するように無線通信を利用した無線端末装置において、いつ検索されるかわからない、また定期的に通知を行うなど、常時接続を主眼にした構成であり、無線端末装置で問題になる省電力性に問題があった。
【０００４】
そこで本発明はこのような従来技術の問題点を解消し、無線のアクセスポイント（ルーター）に接続された無線端末がデータ通信がなされていない場合には可能な限り省電力モード動作を行い、そのために特に問題となるネットワーク検索や定期的な通知を極力削減するために、無線のアクセスポイントに接続されている無線端末のサービス情報をもたせ、ネットワークの検索要求がなされた場合には、本サービス情報を要求してきた端末に提供し無線ネットワーク上のトラフィックを低減させ省電力モード動作の有効時間を長くすることを目的とする。
【課題を解決するための手段】
【０００５】
本発明は上述の課題を解決するために、次のように構成する。
【０００６】
請求項１記載の無線通信制御装置は、
無線接続された無線通信端末に対して送信されるデータをデータの種別に応じて破棄あるいは送信を選択できるデータフィルタ設定手段と、前記無線通信端末を省電力動作に移行させる省電力動作移行手段と、前記無線通信端末に対して送信されるデータが、前記データフィルタ設定手段によって、送信選択された場合には、前記無線通信端末を省電力動作から通常動作へ移行させる通常動作移行手段と、を有することを特徴とする。
【０００７】
このような構成によれば、不要なブロードキャストされたパケットのために省電力動作にある無線通信の状態を通常動作に戻して通信を再開させる機会を削減することが可能になる。
【０００８】
請求項２記載の無線通信制御装置は、
前記無線通信制御装置は、無線により接続された無線通信端末が有するサービスを取得するサービス取得手段と、前記サービス取得手段により取得した無線通信端末のサービス情報を前記無線通信端末固有の識別子と関連付けて特定エリアに保持する手段と、前記特定エリアの位置を表す情報を前記無線通信端末に通知するエリア情報通知手段と、前記無線通信端末から端末サービス情報を要求された時には、前記特定エリアに保持されたサービス情報を応答するサービス情報応答手段と、前記無線通信端末との通信が切断された場合には特定エリアに保持された前記無線通信端末のサービス情報を削除する手段とを有する、ことを特徴とする。
【０００９】
このような構成によれば、無線通信制御装置は無線端末のサービスを検索する要求に対して、無線通信制御装置で格納された情報を提供することによって検索毎に無線端末にサービスの要求を伺いに行く機会を削減することが可能になる。
【００１０】
請求項３記載の無線通信制御装置は、
前記無線通信端末からのサービス情報要求が無線通信制御装置のエリア圏内に位置し、無線通信により接続されている他の無線通信端末のサービス情報要求であるか、前記エリア圏外に位置する他の端末装置のサービス要求であるかを識別するサービス情報要求範囲指定手段を有し、前記エリアと同一の圏内に位置する無線通信端末のサービス情報要求の場合には、前記サービス情報応答手段を起動し、前記エリア圏外のサービス要求の場合には、前記サービス情報応答手段を起動しない、
ことを特徴とする。
【００１１】
このような構成によれば、同一アクセスポイントの無線通信圏内の端末にのみ接続中の端末サービスを提供することが可能になり、セキュリティー向上させることが可能になる。
【００１２】
請求項４記載の無線通信制御装置は、
前記無線通信制御装置は、前記エリア圏外に位置する他の端末装置からのサービス情報要求を受けた場合には、前記特定エリアに保持されたサービス情報を、前記他の端末装置に理解可能な形式に変換するサービス情報変換手段と、前記サービス情報変換手段によって変換を行って作成した新たなサービス情報を応答する手段とを有する、
ことを特徴とする。
【００１３】
このような構成によれば、エリア圏外からのサービス要求で特にプロトコルが異なる場合にでも、プロトコル変換機能を付加することによりサービス提供が可能になる。
【００１４】
請求項５記載の無線通信制御装置は、
前記無線通信制御装置は、前記エリア圏外に位置する他の端末装置からのサービス要求を受けた場合には、前記エリア圏内の無線通信端末が通常動作中の場合は、直接前記無線通信端末へ前記サービス要求を送信し、前記エリア圏内の無線通信端末が省電力動作中の場合には、前記サービス情報変換手段を起動し新たなサービス情報を応答する手段とを有する、
ことを特徴とする。
【００１５】
このような構成によれば、通常動作中の無線通信端末に対してはサービス情報変換手段を経ずに直接サービス要求を発行でき、省電力動作中の無線通信端末は省電力動作を解除することなくサービス情報を獲得することが可能になる。
【発明の効果】
【００１６】
本発明によれば、無線通信制御装置において、特定のデータパケットに対してはフィルタをかけて破棄し、無線通信制御装置に接続中の無線端末装置を頻繁に通常モード動作させることなく省電力モード動作を維持することが可能であり、またトラフィックを増やす原因の一つである周辺端末のサービス検索をアクセスポイントが管理することで、パーソナルエリアネットワーク内の端末に対して直接サービスを行う必要がなく、必要な場合だけ通常動作モードにすることで、さらに省電力機能を向上させるという効果がある。
【発明を実施するための最良の形態】
【００１７】
以下、本発明を実施例について図面を参照し詳細に説明する。
【実施例１】
【００１８】
図１は本発明の実施例における無線通信システム全体の構成図である。１００は無線アクセスポイントで本発明の最も特徴的な制御を行なうシステムであり、それぞれ無線通信を行なう無線ユニット１０１Ａ、１０１Ｂ、１０１Ｃを装備している。本無線ユニットは、無線通信を利用して１０２の携帯端末、１０３のプリンタ、１０４のパソコン、１０５の携帯電話との間で無線データ通信を行なう。１０６は有線接続されたパソコンで１０７のルーターを介して１０８のＥｔｈｅｒｎｅｔ（Ｒ）を通じネットワーク間通信を行なう。
【００１９】
図２は１００のアクセスポイントが無線通信端末である１０２の携帯端末、１０３のプリンタ、１０４のパソコンおよび１０５の携帯電話のサービス情報を取得した際の記憶領域内のサービス情報を表す。サービス情報は各無線通信端末毎に保持されており（Ｄｅｖｉｃｅ［１］…Ｄｅｖｉｃｅ［７］）その属性情報としては、各無線デバイスの物理アドレスを表すＭＡＣ  Ａｄｄｒ部、ＩＰネットワーク層の識別子ＩＰアドレスを表すＩＰ  Ａｄｄｒ部、無線通信端末のホスト名称を表すＨｏｓｔＮａｍｅ部、無線デバイスに設定格納可能な無線デバイスの種別を表すデバイスクラス部、無線デバイスの名称を表すデバイス名部、無線デバイスが有する無線固有の特徴を表すＦｅａｔｕｒｅ部、無線通信端末が有するサービス（ここではプロファイル）を表すサービス部、本サービス情報データを保持するデータ保持期間部、各無線通信端末との認証の鍵として交換されたセキュリティー鍵部からなる。
【００２０】
例えば、１０２の携帯端末（Ｄｅｖｉｃｅ［１］）の場合を見ると、ＭＡＣＡｄｄｒは００：５０：３７：Ｆ４：２３：８Ｆ、ＩＰ  Ａｄｄｒは１１１．１１．１１．１１、ＨｏｓｔＮａｍｅはｃａｎｐ０１、デバイスクラスは携帯端末、デバイス名はｐｄａｈｏｓｔ１、Ｆｅａｔｕｒｅ部は０ｘＦＦ０Ｆ、サービス部はＰＡＮ（Ｐｅｒｓｏｎａｌ  Ａｒｅａ  Ｎｅｔｗｏｒｋ）プロファイルとＩｍａｇｅプロファイル、データ保持期間は２時間、セキュリティーの鍵は１１２４５３７Ｆ８９２Ａである。
【００２１】
図３は本発明の特徴的な制御を表す携帯端末とプリンタがアクセスポイントにサービス情報を格納し、アクセスポイントを経由して携帯端末のデータをプリンタで印刷する場合のシーケンス図である。
【００２２】
まず携帯電話はアクセスポイントにサービス接続要求を行い、アクセスポイントは携帯端末用に情報エリアを作成およびデバイス情報を格納し、サービス接続許可を応答する。続いて、サービス要求を行い（ここではＰＡＮとＩｍａｇｉｎｇプロファイルを有することを意味する）これを受信したアクセスポイントはサービス要求にしたがってサービス情報を格納し、サービス応答としてアクセスポイントに接続している無線端末全てのサービス情報エリアの内容が書かれているファイルの位置を示すＵＲＬ情報を渡す。
【００２３】
続けてＰＡＮによるＩＰ接続要求を行いＩＰアドレスの割当、ホスト名称の割当を行いＩＰ通信が可能になる。それと同時に携帯端末を省電力モードで動作させると同時にデータフィルタを設定し端末検索要求などのパケットデータは破棄する設定にする。プリンタの場合も携帯端末と同様にアクセスポイントにサービス接続要求を行い、アクセスポイントはプリンタ用に情報エリアを作成およびデバイス情報を格納し、サービス接続許可を応答する。
【００２４】
続いて、サービス要求を行い（ここではＰＡＮとＰｒｉｎｔｉｎｇプロファイルを有することを意味する）これを受信したアクセスポイントはサービス要求にしたがってサービス情報を格納し、サービス応答としてアクセスポイントに接続している無線端末全てのサービス情報エリアの内容が書かれているファイルの位置を示すＵＲＬ情報を渡す。続けてＰＡＮによるＩＰ接続要求を行いＩＰアドレスの割当、ホスト名称の割当を行いＩＰ通信が可能になる。それと同時にプリンタを省電力モードで動作させる同時にデータフィルタを設定し端末検索要求などのパケットデータは破棄する設定にする。
【００２５】
続けて、携帯端末がサービス検索要求を行なう場合には、まず省電力モードを解除する要求である省電力解除要求をアクセスポイントに送信し、省電力解除許可を受信する。続けて、あらかじめアクセスポイントから獲得したサービス情報ファイルの格納ＵＲＬ位置（ここでは  ｈｔｔｐ：／／ｗｗｗ．ｕｒｌ／ｄｅｖｉｎｆｏ．ｈｔｍｌ）にデータ要求を行い、これを受信したアクセスポイントは応答としてアクセスポイントに接続されている端末の情報を表すデバイス情報応答を携帯端末に送信する。続いて、携帯端末で印刷要求があった場合には、前記デバイス情報応答の中からプリンタであるデバイスを選択し、プリンタデータを送信する。アクセスポイントは送信されたデータがプリンタに対するものであることを認識し、省電力モードにあるプリンタを省電力解除要求し、プリンタから省電力解除許可を受けると同時に携帯端末から送信されるプリントデータを送信する。これによりプリンタは印刷動作を開始する。
【００２６】
これにより、ネットワーク上のトラフィックをあげるパケットである端末検索要求をフィルタで破棄することにより、そのパケットをアクセスポイントが受信するたびに省電力動作中の端末を通常動作に移行させる必要がなくなり、とくに携帯端末やプリンタがバッテリーで動作している場合には省電力化に長けるという効果がある。
【実施例２】
【００２７】
本発明のサービス情報には、利用可能なプロファイル情報の項目があるので、そこを利用した場合の実施例を述べる。
【００２８】
図４は、携帯端末からプリンタに印刷する場合に、プリンタとしてＩＰネットワークを介した印刷が可能なＰＡＮプロファイルと携帯端末とプリンタが直接無線通信を行い印刷が可能なＰｒｉｎｔｉｎｇプロファイルを有する場合についての携帯端末からの印刷を行なう場合の携帯端末の動作を表すフローチャートである。
【００２９】
印刷要求を待つ（Ｓ４００）。要求があった場合には、サービス情報が取得済みかどうかを調べる（Ｓ４０１）。未取得であれば、端末サービス情報取得を行なう（Ｓ４０２）。続けて、サービス情報の中にプリンタが存在するかどうかをチェックする（Ｓ４０３）。なければ終了し、ユーザに対してはプリンタが発見できない旨を通知する。発見できた場合には、まずプリンタが直接接続し印刷可能な機能を表す“Ｐｒｉｎｔｉｎｇ”を有するか調べる（Ｓ４０４）。あれば、プリンタに対して直接接続要求を送信し（Ｓ４０９）、接続完了したら（Ｓ４１０）、印刷データを送信する（Ｓ４１１）。接続に失敗したら終了処理を行なう。
【００３０】
もし、Ｐｒｉｎｔｉｎｇサービスを有しない場合には、続けてプリンタはＰＡＮ機能を有するかどうかを調べる（Ｓ４０５）有しない場合には、終了し、ユーザに対してはプリンタが発見できない旨を通知する。有する場合には、アクセスポイントに省電力解除要求を行い（Ｓ４０６）、アクセスポイントから省電力解除応答を受信した場合には（Ｓ４０７）、アクセスポイントを経由してプリンタに対して印刷データを送信する（Ｓ４０８）。
【００３１】
これにより、プリンタが直接印刷とアクセスポイント経由印刷の機能を有する場合にでも、柔軟に対応することが可能となり、また直接印刷に高優先度をもたせた場合には、可能な限り直接印刷を行なうことから、アクセスポイントのデータトラフィックを軽減することができるという実施例特有の効果がある。
【図面の簡単な説明】
【００３２】
【図１】本発明の実施形態による無線通信制御装置を含む無線ネットワークの構成をあらわす概念図である。
【図２】本発明の実施例１によるサービス情報の内容を表す図である。
【図３】本発明の実施例１による携帯端末からプリンタに印刷を行なう場合のアクセスポイントの動作を表すフローチャートである。
【図４】本発明の実施例２による携帯端末がプリンタに印刷動作を行なう場合の動作を表すフローチャートである。
【符号の説明】
【００３３】
１００  アクセスポイント
１０１Ａ、Ｂ、Ｃ  無線ユニット
１０２  携帯端末
１０３  プリンタ
１０４  パソコン
１０５  携帯電話
１０６  パソコン
１０７  ルーター
１０８  ＥｔｈｅｒＮｅｔ（Ｒ）
【図１】
2005223586.tif 000003
【図２】
2005223586.tif 000004
【図３】
2005223586.tif 000005
【図４】
2005223586.tif 000006